(57)【要約】【課題】エレベータかごの最下停止位置より下方へのオーバーランおよびエレベータかごの最上停止位置より上方へのオーバーランに対する確実なオーバーラン防止を可能にする解決策を提供する。【解決手段】バッファ（２０）は、エレベータかご（２５）および／またはエレベータかご用カウンタウエイト（２３）を支持する機能を有し、エレベータかごおよびカウンタウエイトは各々、昇降路（ＶＫ、ＶＧ）に沿って移動可能である。バッファ（２０）は、部分的に、エレベータかごの昇降路（ＶＫ）内およびカウンタウエイトの昇降路（ＶＧ）内へ突出するよう構成される。バッファは、エレベータかごが床（２８）に対する間隔（Ｚ２）よりも下落するとエレベータかごと機械的に接触する。また、バッファは、カウンタウエイトが床に対する距離（Ｚ２．１）よりも下落するとカウンタウエイトと機械的に接触する。【選択図】      図１Ｄ
2004352505.tif 000002
【特許請求の範囲】
【請求項１】
エレベータかご（２５、４５）を支持する、および／またはエレベータかご（２５、４５）のカウンタウエイト（２３）を支持するバッファ（２０、４０）であって、エレベータかご（２５、４５）およびカウンタウエイト（２３）は昇降路（ＶＫ、ＶＧ）に沿って移動可能であり、バッファ（２０、４０）が、エレベータかご（２５、４５）の昇降路（ＶＫ）およびカウンタウエイトの昇降路（ＶＧ）内に少なくともその一部が突出するよう構成されることを特徴とする、バッファ。
【請求項２】
エレベータかご（２５、４５）が床（２８、４８）に対する所定の間隔（Ｚ２、Ｚ４）よりも下落した場合にエレベータかごと機械的に接触し、カウンタウエイト（２３）が床（２８、４８）に対する第２の所定の間隔（Ｚ２．１、Ｚ４）よりも下落した場合にカウンタウエイト（２３）と機械的に接触するよう配置されることを特徴とする、請求項１に記載のバッファ。
【請求項３】
バッファ（４０）の少なくとも一つの上部（４３、４４、４４．１）がエレベータかごの突出領域（Ｋ４）およびカウンタウエイトの突出領域（Ｇ４）の間に配置されることを特徴とする、請求項１または２に記載のバッファ（４０）。
【請求項４】
エレベータかご（２５、４５）と機械的に接触することによってエレベータかご（２５、４５）が最下停止位置より下方へオーバーランするのを制動して停止させ、および／またはカウンタウエイト（２３）と機械的に接触することによって下方へ進むカウンタウエイト（２３）を制動して停止させることによって、エレベータかご（２５、４５）が最上停止位置より上方へオーバーランするのを制動して停止させて、エレベータかご（２５、４５）のオーバーラン防止として機能するよう設計されることを特徴とする、請求項１から３のいずれか一項に記載のバッファ（２０、４０）。
【請求項５】
可動手段（４４、４４．１）を含み、該可動手段は、
エレベータかご（４５）と機械的に接触するようエレベータかごの昇降路に取り込まれると同時に、
下部の保護帯域が必要ない場合は、通常状態でエレベータかごがバッファ（４０）を通過して移動するようエレベータかごの昇降路から外に移動できることを特徴とする、請求項１から４のいずれか一項に記載のバッファ（４０）。
【請求項６】
可動手段（４４、４４．１）を含み、該可動手段は、
カウンタウエイトと機械的に接触するようカウンタウエイトの昇降路に取り込まれると同時に、
上部の保護帯域が必要ない場合は、通常状態でカウンタウエイトがバッファ（４０）を通過して移動するようカウンタウエイトの昇降路から外に移動できることを特徴とする、請求項１から５のいずれか一項に記載のバッファ（４０）。
【請求項７】
エレベータかご（２５、４５）またはカウンタウエイト（２３）を制動して停止させるのに適した減衰特性を有し、および／または可動手段は折り畳み式手段（１４）、枢動式手段、スライド式手段、または回転式手段（４４、４４．１）であることを特徴とする、請求項１から６のいずれか一項に記載のバッファ（２０、４０）。
【請求項８】
必要な場合は床（２８、４８）とエレベータかご（２５、４５）との間の保護帯域および／またはエレベータかごの上部の保護帯域を形成するよう機能するよう設計されることを特徴とする、請求項５から７のいずれか一項に記載のバッファ（２０、４０）。
【請求項９】
請求項１から８のいずれか一項に記載の、エレベータかご（２５、４５）、カウンタウエイト（２３）、およびバッファ（２０、４０）を備える、エレベータ設備。
【請求項１０】
エレベータかご（４５）、カウンタウエイト（２３）、およびバッファ（４０）はピットのないエレベータシャフト（４１）に設けられ、および／またはエレベータ設備は好ましくは床（２８、４８）に設けられる駆動装置を含むことを特徴とする、請求項９に記載のエレベータ設備。
【発明の詳細な説明】
【技術分野】
【０００１】
本発明の主題は、エレベータかごを支持する、および／またはエレベータかごのカウンタウエイトを支持するバッファ、および該バッファを備えたエレベータ設備である。
【背景技術】
【０００２】
エレベータ設備には、通常、１つまたは複数のバッファが設けられている。これらのバッファは、エレベータかごが所定の昇降路を通過した後、エレベータシャフトの最下停止位置より下方へオーバーランしたり、エレベータシャフトの最上停止位置より上方へオーバーランした場合にこれを停止させるために、エレベータシャフトのシャフト床に設けられる。このバッファは通常、エレベータかごおよび／またはカウンタウエイトの下に納められる。
【０００３】
最後に所定の昇降路を通過後、エレベータシャフトの最上停止位置より上方へオーバーランするのを防ぐために、バッファをエレベータかごより上のシャフトヘッドに設けることもできる。このようなバッファは、エレベータかごの真下または真上のシャフト床およびシャフトヘッドに設けなければならないため、結果として特定のスペースが必要となる。従って、シャフトヘッドまたはシャフト床は、条件付きでしか他の目的で利用することができない。シャフトピットの無いエレベータ設備の場合は、エレベータかごの下にはほとんどスペースがないためこのようなバッファの標準的な配置は不可能である。
【０００４】
エレベータシャフト、カウンタウエイトを備えた垂直に移動可能なエレベータかご、およびバッファを有するエレベータ設備は、国際公開第００／６４７９８−Ａ１号パンフレットに記載されている。該特許文献では、バッファはエレベータかごの下ではなくシャフト床のエレベータかご付近に配置されている。該エレベータかごは、オーバーラン状態が発生した場合、つまりエレベータかごが最下階層の最下停止位置より下方に行く場合に、バッファに衝突するブラケットを備える。これにより、エレベータかごが制動され、シャフト床からわずか上方の距離で停止する。エレベータかごの最上停止位置より上方へのオーバーランに対するオーバーラン防止については、このＰＣＴ特許出願では提案されていない。このエレベータ設備ではピットのないシャフトが用いられている。シャフト床および／またはシャフトヘッドにおいてエレベータシャフト内でメンテナンスおよび修理作業を行うための一時的な保護帯域を形成する可能性については、開示されていない。
【特許文献１】国際公開第００／６４７９８−Ａ１号パンフレット
【発明の開示】
【発明が解決しようとする課題】
【０００５】
本発明は、エレベータかごの最下停止位置より下方へのオーバーランおよびエレベータかごの最上停止位置より上方へのオーバーランに対する確実なオーバーラン防止を可能にする解決策を提供するという目的に基づく。
【課題を解決するための手段】
【０００６】
本発明によれば、この目的は請求項１から９の特徴によって達成される。
【０００７】
本発明によるバッファの優れた発展形は従属請求項２から８によって記載される。本発明によるエレベータ設備の優れた発展形は従属請求項１０によって記載される。
【０００８】
本発明のバッファは、少なくともその一部がエレベータかごの昇降路内およびカウンタウエイトの昇降路内に突出する。それにより、単一のバッファで、かごまたはカウンタウエイトの各々をシャフト床の上の所定の間隔で選択的に支持することができる。所定の間隔は各々、各バッファの配置および形状によって、かご用とカウンタウエイト用とで異なりうる。従って、単一のバッファの配置を選択するだけで、エレベータかごがエレベータシャフトの最下停止位置より下方へおよびエレベータシャフトの最上停止位置より上方へオーバーランするのを防ぐことができる。
【０００９】
別の実施形態のバッファは、シャフト床の上の第２の所定の間隔でエレベータかごおよび／またはカウンタウエイトのいずれをも支えるために、エレベータかごの昇降路内および／またはカウンタウエイトの昇降路内に取り込まれることが可能な可動手段を備えてもよい。この実施形態には、単一のバッファでエレベータかごおよび／またはカウンタウエイトの各々−可動手段の各設定に依存する−がシャフト床の上の少なくとも２つの異なる間隔で支持されうるという利点がある。このようなバッファは、適切な寸法であれば、ピットのないエレベータ設備において、エレベータかごの最下停止位置より下方へのオーバーランおよびエレベータかごの最上停止位置より上方へのオーバーランに対するオーバーラン防止を確実に行うことができ、更に、除去可能な手段が適切に設定されている場合は、シャフト床およびシャフトヘッドに一時的な保護スペースを形成することもできる。
【００１０】
本発明の詳細および利点について、実施例に基づき概略図を参照して以下に説明する。
【発明を実施するための最良の形態】
【００１１】
図１Ａから１Ｄは、本発明によるバッファ２０の第１の実施形態を異なる概略図および異なる状態で示す図である。図示されるバッファ２０は、エレベータシャフト２１の床２８の上でエレベータかご２５を支持するためのバッファである。エレベータかご２５は、エレベータかご２５およびカウンタウエイト２３がエレベータシャフト２１内の昇降路ＶＫおよびＶＧに沿って上下に移動できるように、カウンタウエイト２３と接続される。カウンタウエイト２３と、エレベータかご２５およびカウンタウエイト２３用支持かご２３．１の一部を図１Ｄに示す。一方、支持ケーブル２３．１用ドライブプーリ、ガイドレール、およびその他のエレベータ設備の一般的なエレメントは、図１Ａから１Ｄには記載されていない。バッファ２０は、エレベータかご２５およびカウンタウエイト２３の昇降路ＶＫおよびＶＧと平行して縦の範囲を有する。バッファ２０は、少なくともその一部がエレベータかごの昇降路ＶＫ内およびカウンタウエイトの昇降路ＶＧ内に突出するよう構成され、配備される。
【００１２】
バッファ２０は、下部のベースエレメント２２と、それよりも細い上部２４とから成る。上部２４はベースエレメント２２上に非対称的に着座する。バッファ２０は、図１Ｃおよび１Ｄでは、いわゆる作動（ｏｐｅｒａｔｉｖｅ）状態で示されている。
【００１３】
バッファ２０は、少なくともその一部がエレベータかごの昇降路ＶＫおよびカウンタウエイトの昇降路ＶＧの間に設けられる。図１Ｄでは、これらの昇降路ＶＫおよびＶＧは破線で示されている。明確にするために、図１Ａに、エレベータかご２５の床２５．１の投影Ｋ２およびカウンタウエイト２３の下側２３．２の投影Ｇ２を示す。これらは各々、シャフト床に向かって投影されている。投影Ｋ２およびＧ２の、シャフト床２８でベースエレメント２２の底面２２．１と重なる部分は破線で示されている。
【００１４】
通常の場合、つまりエレベータかご２５が上方および下方へと移動する目的のために設けられた領域をそのように移動する場合、バッファ２０が使用されることはない。図１Ｂに示すように、エレベータかご２５は最下階層まで移動することができ、かごのドア２６およびシャフトドア２７を介して乗降を可能にする。
【００１５】
ここで、エレベータかご２５が最下停止位置より下方へオーバーランすると（図１Ｃの状態を用いる）、エレベータかご２５が床２８に対する所定の間隔Ｚ２よりも下落すると直ちに、エレベータかご２５とバッファ２０のベースエレメント２２とが機械的に接触する。図示される実施形態の場合は、図１Ｃに示すように、エレベータかご２５の下縁部がベースエレメント２２に載る。これにより、「緊急時」にはエレベータかご２５が制動され、停止する。この状態において、バッファ２０のベースエレメント２２は幾分、圧縮される。
【００１６】
図１Ａから１Ｄに示す実施形態には、エレベータかご２５が最下停止位置より下方へオーバーランするのを防止するだけでなく、エレベータかご２５が最上停止位置より上方へオーバーランするのも阻止するという特徴がある。この「緊急時」を図１Ｄに示す。この図には、エレベータシャフト２１全体に渡る縦部分の概略が示されている。エレベータシャフト２１は４階層またはそれ以上の階層を有し、各階ごとにシャフトドア２７が示されている。カウンタウエイト２３は、エレベータかご２５に対して逆向きにエレベータシャフト２１内を移動する。エレベータかごがシャフトの上端部に位置する場合、カウンタウエイトはシャフトの下端部に位置する。ここで、カウンタウエイト２３はバッファ２０の上部２４と機械的に相互作用するため、エレベータかごの最上停止位置より上方へのオーバーランは、本発明によって停止される。バッファ２０によってカウンタウエイト２３を制動し停止させることにより、エレベータかご２５の更に上方への移動は抑制される。
【００１７】
バッファ２０全体の長さＨ２．１によって、シャフト上端部における保護帯域も画成される。
【００１８】
図２Ａから２Ｄは、本発明によるバッファ４０の第２の実施形態を、異なる概略図および別の異なる状態で示す図である。図示するバッファ４０は、エレベータシャフト４１の床４８の上でエレベータかご４５を支持するためのバッファである。バッファは、オーバーラン防止装置として、またピットのないエレベータ設備において、つまりエレベータかごの最下停止レベルが床からわずかな空間しかないところにありシャフトピット用の場所がないエレベータ設備において、一時的な保護帯域を形成するための手段として、機能する。エレベータかご４５は、エレベータかご４５およびカウンタウエイトがエレベータシャフト４１内の昇降路に沿って上下に移動できるよう、カウンタウエイトと接続される。図２Ａから２Ｄには、カウンタウエイト、エレベータかご４５用およびカウンタウエイト用支持ケーブル、支持ケーブル用ドライブプーリ、ガイドレール、およびエレベータ設備のその他の一般的なエレメントは示されていない。バッファ４０は、エレベータかご４５およびカウンタウエイトの昇降路と平行に縦の長さを有する。バッファ４０は、各々の状態に応じて、少なくともその一部がエレベータかごの昇降路内およびカウンタウエイトの昇降路内に突出するよう構成され、配置される。
【００１９】
バッファ４０は、図２Ｃおよび２Ｄに示されるように、より強力なダンパとして設計された下部のベースエレメント４３、および該ベースエレメント４３上に設けられる回動自在な可動手段４４とを含む。可動手段４４は、図示される実施形態の場合は対称的に構成される。つまり、ベースエレメント４３の両側に同程度突出する。可動手段４４は、可動手段４４の窪みに設けられるダンパ４４．１を含む。
【００２０】
図２Ａおよび２Ｂでは、バッファ４０はいわゆる通常状態で示されている。図２Ｃおよび２Ｄでは、バッファ４０はいわゆる使用状態で示されている。バッファ４０は、少なくともその一部がエレベータかごの昇降路およびカウンタウエイトの昇降路の間に配置される。明確にするために、エレベータかご４５の床４５．２の投影Ｋ４およびカウンタウエイトの下側の投影Ｇ４を図２Ａおよび２Ｃに示す。
【００２１】
使用状態において、エレベータかご４５が床４８に対する第１の所定の区間Ｚ４より下落すると直ちに、エレベータかご４５とバッファ４０のダンパ４４．１との機械的接触が発生する。図示する実施形態の場合は、図２Ｄに示すようにエレベータかご４５の下縁部がダンパ４４．１に載る。従って、バッファ４０には偏心的に付加が掛けられる。これにより、必要な場合はシャフトの下端部の領域に一時的な保護帯域が形成される。
【００２２】
可動手段４４、４４．１を伴うバッファ４０は、使用状態においてカウンタウエイトが床４８に対する所定の間隔Ｚ４よりも下落した場合にカウンタウエイトとの間でも機械的接触が発生するよう構成され、配置される。図２Ａから２Ｄではカウンタウエイトは見えないが、その理由は、エレベータかご４５がシャフトの下端部に位置する場合にカウンタウエイトはシャフトの上端部に位置するからである。
【００２３】
図２Ｂにおいて、バッファ４０は通常状態で示されている。通常状態では、バッファ４０の可動手段４４、４４．１はエレベータかご４５の床４５．２に向かって突出していないため、エレベータかご４５は、バッファ４０と機械的に接触することなく下方の階層のシャフトドア４７へと移動することができる。尚、図示される状態において、エレベータかご４５に固着されたブラケット４５．１（バッファアバットメント）およびダンパ４４．１の間には間隔Ｄが存在する。図２Ｂに示す状態では、かごのドア４６およびシャフトドア４７を介して乗降を行うことができる。
【００２４】
ここで、エレベータかご４５が最下停止位置より下方へオーバーランすると（図２Ａから２Ｄには図示せず）、エレベータかご４５に固着されたブラケット４５．１と、バッファ４０の可動手段４４およびより強力なダンパとして設計されたベースエレメント４３とが機械的に接触する。これにより、「緊急時」にはエレベータかご４５が制動され停止される。ただし、エレベータかご４５が最下停止位置をオーバーランする場合、ダンパ４４．１は使用されないことが注目されうる。なぜなら、ブラケット４５．１が可動手段４４またはベースエレメント４３と直接接触するからである。従って、このような「緊急時」にはバッファ４０の中心に付加が掛かる。
【００２５】
バッファが通常状態で配置されている場合は、ブラケットまたはシャフトドア４７に面するカウンタウエイトの側に突出する他のエレメントがバッファ４０の可動手段４４と接触することによって、エレベータかご４５の最上停止位置より上方へのオーバーランが防止される。これもやはり、バッファ４０の中心に付加がかかることになる。
【００２６】
いずれもシャフトの床に向かって投影された、ブラケット４５．１の投影Ｋ４．１、および該ブラケットのまたはカウンタウエイトの突出エレメントの投影Ｇ４．１は、各々図２Ａおよび２Ｃに破線で示されている。
【００２７】
保護帯域を形成するために、バッファ４０は通常状態から使用状態へと移行する。これは可動手段４４がエレベータかご４５の床４５．２の通路またはカウンタウエイトの下側へと回転して入ることによって実行される（図２Ｃおよび２Ｄ）。必要な切り換えは、例えば（キー操作される）スイッチまたは電子制御によって引き起こすことができる。一時的な保護帯域を形成するために、エレベータかご４５はダンパ４４．１上に載るまでゆっくりと下方に移動する。シャフトのドア４７を開けることによって、人が保護帯域に出入りすることができる。間隔Ｚ４は、保護帯域において安全かつ問題のない作業を可能にするように、床４８からの十分な空間を保証する。
【００２８】
同じバッファ４０によって、シャフトの上端部の領域に一時的な保護帯域を形成することもできる。しかし、この状態は図２Ａから２Ｄに図示されていない。シャフトの上端部に保護帯域を形成するために、カウンタウエイトは床４８からの間隔Ｚ４より下落しないよう抑制される。カウンタウエイトが可動手段４４の右側のダンパ４４．１に載ると、エレベータかご４５はシャフトヘッドからの固定された所定の空間に保持される。これによりシャフト上端部の保護帯域が得られる。
【００２９】
図１Ｃおよび１Ｄに示すように、エレベータかごとカウンタウエイトは必ずしも同じ高さで支持される必要はない。
【００３０】
本発明によれば、バッファは、使用する場合ごとに特別に適用される減衰特性を持つことができる。第２の実施形態の場合は、保護帯域が形成された場合にエレベータかご３５またはカウンタウエイトの弱い減衰設定を可能にするダンパ４４．１が使用される。エレベータかご４５が最下停止位置または最上停止位置を越えてオーバーランする場合は、これに対して、ベースエレメント４３の減衰特性が機能する。
【００３１】
本発明によるバッファは、バッファが「崩壊する」または「撓む」ことなく非対称に付加が掛かることを可能にする特別な手段を備えることができる。この目的において、バッファは、偏心的なバッファの負荷により発生する曲折モーメントに対する補償を提供するために、全体または一部がコルセットのようなエレメントによって包囲されるか、または特別な手段によって誘導される。
【００３２】
これらの実施形態の一つの場合では、バッファは完全にエレベータかごとカウンタウエイトとの間に配置される（例えば図２Ａを参照）。
【００３３】
本発明のバッファの断面は所望するとおりに選択することができる。バッファ２０はエレベータシャフトの床と平行に実質的に円形の断面を有する。これに対して、バッファ４０は、例えば下部領域４３において四角形の断面を有する。
【００３４】
各実施形態に応じて、バッファの可動手段の動きは電磁式、水力式、空気式、手動式または設定モータを用いることによって、実施することができる。
【００３５】
別の実施形態では、駆動／周波数変換部、速度制限装置、ガイドレール用固着装置およびバッファを含むピットセットが用いられる。これにより、エレベータシャフト内への搭載が大幅に簡略化される。
【００３６】
また本発明は、カンチレバー配置におけるエレベータ設備での使用にも適する。
【００３７】
また、バッファの特別な配置および構成により、従来の装置と比較して必要なスペースが削減される。
【００３８】
本発明は、シャフトピットの高さサイズおよびシャフトヘッドの高さサイズがない、またはわずかしかないエレベータ設備への使用に、特に適している。
【００３９】
本発明の利点は、各々の実施形態によって、人を保護するための規則を遵守し、建設コストおよび設置コストを実質的に削減できる点である。
【００４０】
可動手段４４および４４．１は、本発明の範囲内で様々な方法で変更することが可能である。基本設定でなく、折りたたみ式、枢動式、スライド式、および／または回転式の手段に代えることもでき、各々、床の上の空間でエレベータかごおよび／またはカウンタウエイトを支持するためにエレベータかごおよびカウンタウエイトの通路内へと移動することができる。また、可動手段は、エレベータかごおよびカウンタウエイトを各々異なる高さで支えるのに適した配置に設計することもできる。
【図面の簡単な説明】
【００４１】
【図１Ａ】本発明によるバッファの第１の実施形態を示す概略平面図である。
【図１Ｂ】本発明によるバッファの第１の実施形態を示す概略側面図であり、エレベータかごが最下階で正しく停止する状態を示す。
【図１Ｃ】本発明によるバッファの第１の実施形態を示す概略側面図であり、エレベータかごがオーバーランしバッファ上に着座した状態を示す。
【図１Ｄ】本発明による第１の実施形態のバッファを備えたエレベータシャフト全体を示す概略側面図であり、エレベータかごが最上部でオーバーランしカウンタウエイトがバッファ上に着座した状態を示す。
【図２Ａ】本発明によるバッファの第２の実施形態の通常状態を示す概略平面図である。
【図２Ｂ】本発明によるバッファの第２の実施形態の通常状態を示す概略側面図であり、最下停止位置より下方へ移動するエレベータかごが停止される状態を示す。
【図２Ｃ】本発明によるバッファの第２の実施形態の使用状態を示す概略平面図である。
【図２Ｄ】本発明によるバッファの第２の実施形態の使用状態を示す概略側面図であり、一時的な保護帯域が確保された状態を示す。
【符号の説明】
【００４２】
２０、４０  バッファ
２１、４１  エレベータシャフト
２２、４３  ベースエレメント
２２．１  底面
２３  カウンタウエイト
２３．１  支持かご
２３．２  下側
２４  上部
２５、４５  エレベータかご
２６、４６  ドア
２５．１、２８、４５．２、４８  床
２７、４７  シャフトドア
４４、４４．１  可動手段
４５．１  ブラケット
ＶＫ、ＶＧ  昇降路
Ｚ２、Ｚ２．１、Ｚ４  間隔
Ｋ４、Ｇ４  突出領域
Ｋ２、Ｇ２、Ｋ４．１、Ｇ４．１  投影
Ｈ２．１  長さ
Ｚ４  区間
【図１Ａ】
2004352505.tif 000003
【図１Ｂ】
2004352505.tif 000004
【図１Ｃ】
2004352505.tif 000005
【図１Ｄ】
2004352505.tif 000006
【図２Ａ】
2004352505.tif 000007
【図２Ｂ】
2004352505.tif 000008
【図２Ｃ】
2004352505.tif 000009
【図２Ｄ】
2004352505.tif 000010
【外国語明細書】
2004352505.tif 000011
2004352505.tif 000012
2004352505.tif 000013
2004352505.tif 000014
2004352505.tif 000015
2004352505.tif 000016
2004352505.tif 000017
2004352505.tif 000018
2004352505.tif 000019
2004352505.tif 000020
2004352505.tif 000021
2004352505.tif 000022
2004352505.tif 000023
2004352505.tif 000024
2004352505.tif 000025
2004352505.tif 000026
2004352505.tif 000027